(57)【特許請求の範囲】
【請求項１】
鉛直方向に向けて配置される測量用のポールを保持する測量用のポール保持装置であって、
一対の棒状の脚部と、
前記一対の棒状の脚部の頭部どうしを連結させる連結部であり、前記連結された状態の前記一対の棒状脚部の下部側を開閉可能にする連結させる開閉連結部と、前記開閉連結部に連結されて下方に延設され、前記測量用ポールを保持するロッド部と、
前記ロッド部に設けられて前記ポールを挟持する少なくとも２つの挟持具を備え、
前記挟持具は前記ロッド部に沿って移動可能に取りつけられる取付部を含むことを特徴とする測量用ポール保持装置
【請求項２】
前記挟持具はやっとこ状であって、前記ポールに平行な要ボルトで連結され、前記要ボルトを中心として水平方向に開閉可能に形成され要ボルトから挟持口方向を中心線とし左右対称にポールと接触する一対の挟持片を備え、
前記挟持具は前記要ボルト側から離れる方向に沿って挟持片に連続する第一挟持片と前記第一挟持片に連続する第二挟持片と前記第二挟持片に連続する第三挟持片とを含む、
前記第一挟持片は、平面視略Ｃ字状の第一挟持接触部を有し
前記第二挟持片は、平面視略Ｌ字状の第二挟持接触部を有し
前記第三挟持片は、平面視略Ｌ字状の第三挟持接触部を有し
前記ポールを挟持する際、前記第一接触部どうしで又は第二挟持接触部どうしで又は第三挟持接触部どうしで挟持することを特徴とする請求項１記載の測量用ポール保持装置。
【発明の詳細な説明】
【技術分野】
【０００１】  本考案は測量用ポールを垂直に保持する二脚支持による測量用のポール保持装置に関するものである。
【背景技術】
【０００２】  測量用ポールを垂直に保持する保持装置としては、二脚の脚頭に直接設けたポール保持装置や三脚の脚頭に回動可能に取り付けられた支持アームの先の挟持片によって測量用ポールを垂直に保持するもの等が知られている【０００３】  例えば特許文献１には、ポール保持部を三脚の頭部に突出部を設け、突出部に更に延出部を回転可能に取り付けたポールを保持する保持部を備えるポール保持装置が記載されている。
また、特許文献２には、測量用三脚の頭部に水平なベースを設け、ベースに対し水平方向に移動可能に固定できる支持部材と、支持部材の先に回転可能なポールを弾圧的に狭圧保持する２つの狭圧片で構成される測量用ポール保持装置が記載されている。
【先行技術文献】
【特許文献】
【０００４】
【特許文献１】  実用新案登録第３１８７８９１
【特許文献２】  実用新案登録平０２−４９５３８
【発明の概要】
【発明が解決しようとする課題】
【０００５】  一般的に反射プリズムを用いた測量では、日に数百点の位置測定を行っており、三脚のポール保持装置が使われているが、より利便性を図った二脚のポール保持装置の利用が増加している。
測量においては垂直に立てるポールの足場が平坦でなかったり、段差があったり、測点自体が地面より低い所であったり、高い所であったり、また、測点と測定器との間に障害物がある場合、反射プリズムの位置を上下させ測定器から見えるように、ポールの長さを変えたり、太さを変えたりしながら測量を実施している。
特許文献１の図２中、脚頭部に位置する挟持部２では前記文献中、脚１ｂの長さと最低でも略同じの長さの測量用のポールを用意しないと測量用ポールは挟持出来ない。仮に、前記脚１ｂを大きく広げて脚頭部の位置を下げ、挟持しても全体が不安定になり、測点への設置に時間を要するようになる。
また反対に特許文献１の脚１ｂの長さの２倍以上の長い測量用のポールでは、ポールの重心が脚頭部より上の方にあり、脚頭部だけの挟持では、ポール先端の石突部と脚頭部の狭持個所との間が長くなるので、ポール先端石突部のゆれが大きく、不安定となり測量用のポールの測点への設置に時間を要する課題がある。
特許文献１で距離測定を行う場合、本発明の図６に示すような測量用ポール６に反射プリズム８、水準器７等を取り付ける構成になるが、上記文献１の脚頭部にある挟持部２と上記構成の反射プリズム８の取り付け位置が重なった場合に取り付けが困難になることが生じ、また測点の高低や、地面の傾斜等によっても上述のように、取り付け位置が重なり取り付けが困難になる課題がある。
また、文献２の可動アーム１４に付けられたポールホルダー１５は可動アーム１４の可動範囲内で測量用ポールＰだけの単体の構成であれば、ポールに沿って上下に移動し、挟持できるが、挟圧片１６ａ、１６ｂはポールホルダー１５に固定されており、挟持片１６ａ、１６ｂはポールホルダーに平行して単体で移動出来ないので、本発明の図６に示している、距離測定をするように構成している測量用ポール６の取り付けの際に、挟持片１６ａ，１６ｂの取り付け位置が制限されるので、不安定な位置での挟持や、反射プリズム８に挟持片が当たり挟持することが出来ない課題がある。
特許文献１の図１の、ポール保持部２、特許文献２の挟持片１６ａ、１６ｂでは、決まった太さの測量用のポールしか挟持できなく、測量用のポールの径が変われば、そのポール径に合わせたポール保持部２、挟持片１６ａ、１６ｂを用意し変えなければならない課題がある。
【課題を解決するための手段】
【０００６】  上記課題を解決するために請求項１の発明は鉛直方向に向けて配置される測量用のポールを保持する測量用のポール保持装置であって、一対の棒状の脚部と、
前記一対の棒状の脚部の頭部どうしを連結させる連結部であり、前記連結された状態の前記一対の棒状脚部の下部側を開閉可能にする連結させる開閉連結部と、前記開閉連結部に連結されて下方に延設され、前記測量用ポールを保持するロッド部と、前記ロッド部に設けられて前記ポールを挟持する少なくとも２つの挟持具を備え、前記挟持具は前記ロッド部に沿って移動可能に取りつけられる取付部を含むことを特徴とする。【０００７】  また請求項２の発明は請求項１記載の測量用ポール保持装置において、前記挟持具は前記ポールに平行な要ボルトで連結され、前記要ボルトを中心として水平方向に開閉可能に形成され要ボルトから挟持口方向を中心線とし左右対称にポールと接触する一対の挟持片を備え、
前記挟持具は前記要ボルト側から離れる方向に沿って挟持片に連続する第一挟持片と前記第一挟持片に連続する第二挟持片と前記第二挟持片に連続する第三挟持片とを含む、
前記第一挟持片は、平面視略Ｃ字状の第一挟持接触部を有し
前記第二挟持片は、平面視略Ｌ字状の第二挟持接触部を有し
前記第三挟持片は、平面視略Ｌ字状の第三挟持接触部を有し
前記ポールを挟持する際、前記第一接触部どうしで又は第二挟持接触部どうしで又は第三挟持接触部どうしで挟持することを特徴とする。
【発明の効果】
【０００８】  請求項１に記載されている発明は、本発明の図６に示すように、二脚頭部の脚開閉連結バー１７に連結されて下方に延設された挟持具固定用ロッド４に取り付けられた狭持具３の位置が、二脚頭部より、より低く下方にある構成であるので、短い測量用のポールでも挟持でき、また二脚の脚部５が伸縮するので、長い測量用のポールであっても脚部５を伸ばすことで、高い位置を挟持できる。このように、挟持具３が短いポールや長いポールであっても、バランスのよい個所を２個所で挟持することで、ポール先端の石突のぶれが小さくなり、測点への設置が迅速にできるようになり課題が解決できた。【０００９】また、２つ配した挟持具３は別々に、挟持具固定用ロッド４に沿って移動可能で固定できる構成となっており、本発明の図６に示すように、測量用ポール６に取り付けてある反射プリズム８や水準器７を避けて挟持具３を移動し取り付けられる、距離測定の反射プリズム８の構成が測量の状況により変わる場合でも測量用ポール６を、確実に挟持、固定できるようになり課題が解決できた。【００１０】また、請求項２に記載されている発明は、本願発明の図８から図１０の詳細図に示すように、挟持具３を第１挟持接触部１３ａ、第２挟持接触部１３ｂ、第３挟持接触部１３ｃの形状構成にし、大小ある軸径の測量用のポールをそのポール径に応じた接触部で確実に挟持できるようになり、課題が解決できた。
【図面の簡単な説明】
【００１１】
【図１】本発明の実施形態に係る測量ポール保持装置の正面図である
【図２】本発明の実施形態に係る測量ポール保持装置の背面図である
【図３】本発明の実施形態に係る測量ポール保持装置の右測面図である
【図４】本発明の実施形態に係る測量ポール保持装置の左測面図である
【図５】本発明の実施形態に係る測量ポール保持装置の平面図である
【図６】本発明の実施形態に係る測量ポール保持装置の斜視図である
【図７】本発明の実施形態に係る測量ポール保持装置の斜視図である
【図８】大径ポールを挟持したポール保持部Ａ−Ａ’部分断面拡大詳細図である
【図９】中径ポールを挟持したポール保持部Ａ−Ａ’部分断面拡大詳細図である
【図１０】小径ポールを挟持したポール保持部Ａ−Ａ’部分断面拡大詳細図である
【図１１】ポール保持部のＢ−Ｂ’部分断面拡大詳細図である
【発明を実施するための形態】
【００１２】  図面を参照して、本発明の実施の形態について説明する。図１から図５は実施形態の各方面からの図面であり、図６、図７は、実施の形態に係る斜視図であり、図８〜１０は、挟持具３の拡大詳細図であり、図１１は２つの挟持具３と挟持具固定用ロッド４の部分断面拡大図である。
【００１３】測量ポール保持装置１は、図６に示すように、一対の脚部５と、脚部５を伸縮固定する脚伸縮調整レバー１０と取っ手の脚グリップ１６を備える
次に、その二脚頭部には連結部である脚開閉連結バー１７を備える
前記連結バー１７より下方に延設されるポール保持部の挟持具固定用ロッド４を備える
前記固定用ロッド４には、２つの挟持具３を備え、２つの挟持部３は挟持具固定用ロッド４に沿って移動可能に取り付けられる挟持具取付部１９に挟持具固定バンド１４、挟持具固定ボルト１５を備えている。
【００１４】  測量用ポール保持装置は一対の脚部５と、その脚頭部にある脚開閉連結バー１７に、挟持具３の付いた挟持具固定用ロッド４とをロッド固定用レバー１１で締めて固定し挟持具３に測量用のポールを挟持した形態となる
【実施例１】
【００１５】  図６には、直径１２ミリの測量用ポールに固定式の反射プリズム８を２個、水準器７を１個つけた長さ１メートルのポールをポール保持装置に付けた状態を示している。
最初に測量用ポール６を挟持部３に取り付ける時には、同ポール６に付けた反射プリズム８や水準器７に当たらない部分に挟持具３を移動し、挟持具３に取り付け固定されている挟持具固定バンド１４と挟持具固定用ロッド４を挟持具固定ボルト１５で回し締め固定する。
次に挟持具３の挟持口を開き、同ポール６を太さに応じた位置に挟み込む、
次に、同ポール６を鉛直に立て、図５の平面図のように正三角形のかたちに２脚を６０度程度に広げロッド固定用レバー１１を締め固定すれば装置組み立ての完了である。
後日測量の時、挟持具３に挟む、測量用ポール６と反射プリズム８、水準器７の位置構成が変わらなければ、挟持具３の移動や、固定作業は必要無い。同ポール６を挟持具３に挟み入れるだけで完了する。
これ以降はいままでの２脚での設置方法とあまり変わらない。移動の時には、片手で挟持具固定ロッド４の中心部あたりを持ち、測点へ移る。測点付近で、計測器側に測量用ポール６に付けた反射プリズム８が正対するようにし、２脚にある脚グリップ２１を左右の手で握り、全体を少し持ち上げ、測量用ポール６の先端にある石突９を測点の上に乗せる、
次に同ポール６を鉛直に保ちつつ、２脚の伸縮調整レバー１０を引き、地形に合わせ左右の脚足の長さを調整し脚先を地面につける。
次に、水準器７を見ながら、鉛直を同調整レバー１０で脚の長さを微調整し水準を合わせてから計測する。測点付近がなだらかな地形であれば、微調整は２脚の脚先を接地面から、少しずつずらす方法でも微調整ができる。
計測が終われば、伸ばした２脚の脚伸縮調整レバー１０を引き、脚部５を縮め、挟持具固定用ロッド４の中心部あたりを持ち、次点に移る。すぐ近くであれば、そのまま脚グリップ２１を持ったまま移動する。【００１６】  図６の斜視図に示すように、二脚頭部の脚開閉連結バー１７に連結されて下方に延設された挟持具固定用ロッド４に取り付けられた狭持具３の位置が、二脚頭部より、より低く下方にあることで、細部測量で多用する１メートルの測量用ポール６の場合、長さの半分、地上５０センチのところを下部の挟持部３で挟み、同ポール６の９０センチのところを上部の挟持具３で挟むことができ、バランスのよいところで、保持される。【００１７】  図７の斜視図に示すように、図中の、脚伸縮調整レバー１０を引き、脚部５を伸ばすことにより、脚先から脚頭部までの長さは１．２メートルから１．９メートルにまで伸縮でき、３．６メートルの測量用のポールであっても、同ポールの半分の長さ地上およそ１．８メートルの位置を、挟持具固定用ロッド４の最上部の脚頭部に近い位置に挟持部３を移動固定でき、挟持具固定用ロッド４の最下部に挟持具３を固定し、地上およそ１．１メートルの位置を下部の挟持具３でポールを挟持できる。ポール先端石突９と下部挟持具３との間が、脚部５を地上高く伸ばしても、短くて、また２個所で挟持するのでポール先端石突９のぶれが少なく、容易に測点へ乗せられ、迅速に測距作業ができる。
また、挟持具固定用ロッド４はアルミパイプであるので、別のパイプを前記ロッド４の中空部に沿って入れ前記ロッド４を長く伸ばせる構造にし、下部の挟持具３をより地上近くでポールを挟持できる方式であってもよい。【００１８】  図８の拡大図は、挟持具３に軸径の大きい測量用のポールを挟持した場合の図である。左右対称に設けられた第１挟持接触部１３ａに軸径２５ミリから３０ミリ程のポールを挟持できる。
またコイルばね１３は挟持口先端を閉じるばねである、このコイルばね１３の圧力で強固にポールを挟み固持するので、ぐらついたり、簡単に、外れ落ちたりしない。【００１９】  図９の拡大図は、挟持具３に軸径の中位の測量用ポール６を挟持した図である。左右対称に設けられた第２挟持接触部１３ｂに軸径９ミリから２５ミリ位のポールを挟持できる【００２０】  図１０の拡大図は挟持具３に軸径の小さい測量用のポールを挟持した場合の図である。左右対称に設けられた第３挟持接触部１３ｃに軸径５ミリから１０ミリ位のポールを挟持できる。【００２１】  図１１の断面拡大図に示すように、挟持具３は挟持具固定用ロッド４に沿って移動、固定できるようになっている。また、固定手段はねじ式の挟持具固定ボルト１５に限らず、ピンに板ばねを付けた方式の固定手段であってもよい。
【符号の説明】
【００２２】１  測量用ポール保持装置
２  ポール保持部
３  挟持具、
３ａ  第１挟持片
３ｂ  第２挟持片
３ｃ  第３挟持片
４  挟持具固定用ロッド
５  脚部
６  測量用ポール
７  水準器
８  反射プリズム
９  石突
１０  脚伸縮調整レバー
１１  ロッド固定用レバー
１２  ボルト穴
１３ａ  第１挟持接触部
１３ｂ  第２挟持接触部
１３ｃ  第３挟持接触部
１４  挟持具固定バンド
１５  挟持具固定ボルト
１６  脚グリップ
１７  脚開閉連結バー
１８  要ボルト
１９  挟持具取付部
２０  ねじりコイルばね
【図１】
0006373819.tif 000002
【図２】
0006373819.tif 000003
【図３】
0006373819.tif 000004
【図４】
0006373819.tif 000005
【図５】
0006373819.tif 000006
【図６】
0006373819.tif 000007
【図７】
0006373819.tif 000008
【図８】
0006373819.tif 000009
【図９】
0006373819.tif 000010
【図１０】
0006373819.tif 000011
【図１１】
0006373819.tif 000012